(57)【要約】【課題】  食物を噛んだ時に個々の歯にかかる圧力のバランスがより自分の歯に近くなり、言葉の微妙な発音を発するときに、歯と歯の間にごくわずかな空気の通過を良好にして、また、唾液が歯肉や歯の周りに流れるようにすることにより、味覚を感じやすくすることを可能にすることである。【解決手段】  そこで本考案は、歯間の根元部分の間に僅かな隙間の通気孔兼唾液流入溝を作成することにより、平常時の咀嚼力や会話の発音を正確に増すことにもなる。唾液の流入が良くなり個々の歯に圧力がかかる感覚を歯肉粘膜から顎堤に伝達させるのを鋭くさせている。食物を咀嚼する時には顎に懸かる感覚の投射を天然歯と同じようになってきて、生活の質の改善を促す、すきまつき入れ歯である。【選択図】  図５
2005144095.tif 000002
【特許請求の範囲】
【請求項１】
総義歯に於いて、歯間の根元部分に僅かな隙間の通気溝を設けたことを特徴とするすきまつき入れ歯。
【請求項２】
歯間部に隙間を入れることにより会話の発音を正確に増すこと可能と成ったことを有する請求項１記載のすきまつき入れ歯。
【請求項３】
個々の歯に圧力が懸かる感覚を歯肉粘膜から顎堤に伝達させるのを鋭くしたことを有する請求項１及び請求項２記載のすきまつき入れ歯。
【請求項４】
食物を咀嚼するときに顎に懸かる感覚の投射を天然歯と同じように生活の質の改善を設けたことを有する請求項１，２，３記載のすきまつき入れ歯。
【発明の詳細な説明】
【技術分野】
【０００１】  本考案は、食べる、噛む、飲み込む、しゃべるに係わり、特に咀嚼、発音の効率を図ったすきまつき入れ歯に関する。
【背景技術】
【０００２】  入れ歯は精密なアゴの型をもとに作るが、入れ歯は会話や食事のときの筋肉や舌、アゴの動きと密接に関わっており、完成してからもアゴになじみにくくなっている。【０００３】  入れ歯を使って食事をかんだり、おしゃべりしたり、様々な動きのなかで機能するためのものである。【０００４】  入れ歯がアゴにあたる痛い部分を削ったり、かみ合わせを調整したりして、少しずつ自分のアゴの動きに合った入れ歯になっている。【０００５】  従来、入れ歯用の人工歯として、アクリルレジン、スルフォンレジン、硬質レジン、セラミック等の材料によるものが広く使用されているが、どこか不自然な感じは患者のサイドにたって観たものはない状態で使用されている。
【発明の開示】
【発明が解決しようとする課題】
【０００６】  従来型の金属床義歯では丈夫で重いのが欠点あるが、食物の温度を口蓋に伝えてくれ、熱いもの、冷たいものがおいしく食べられている。【０００７】  入れ歯は口の中の軟らかい歯茎の上にはめるので、根気よく調整をされると共に、上手な入れ歯のトレーニングが必要である。喋ること、食事をすることがそのままトレーニングとなり、気を付けるようにして使っている。【０００８】  食事の練習においては、入れ歯には食べやすい食品と熟練を要する食品がある。最初は軟らかい物を奥歯でゆっくり噛んでいき、前歯で噛み切ろうとした時には、入れ歯が動き前歯部の歯茎に負担がかかり過ぎる事もあり、慣れるまでは注意が必要である。奥歯で左右均等に噛むことから始めて行き、通常食べている食品は、数Ｋｇ以下の力でつぶせるので、入れ歯で十分に噛むことができる。【０００９】  発音の練習においては、口の中に入れ歯が入ると、入れ歯の厚みの分だけ舌の動く範囲が狭められている。このため喋りにくく声が変わったように感じられている。入れ歯の調整の際に邪魔な部分は削るが、削れる限界もあり、入れ歯に早く慣れるために新聞や本を声に出して読む事が良いトレーニングになっている。【００１０】  発音しにくい、サシスセソ、タチツテトなどの発声練習も有効であり、練習時に邪魔な部分がはっきりすれば、はっきり言えるようになるまでトレーニングを繰り返し続けている。【００１１】  外した入れ歯は清潔に保つために洗って、水中あるいは洗浄液中に保管して置くが、入れ歯に使われているプラスチックは、僅かではあるが吸水性があり、このため表面から臭いの原因となる物質が入る事もあり、時々は専用の洗浄液を使って臭いを取り除く事が必要となる。【００１２】  患者本人の感じる、良い・悪いにかかわらず、客観的にも不適合な入れ歯が少なく、合わない入れ歯とか噛めない入れ歯は、単に形がアゴに合わない、噛めないという意味だけでなく、痛い、噛めない、色が合わない、落ちる等、心身に具体的危害を加える入れ歯である。【００１３】  歯があれば、歯槽骨がありこれが歯の周りを取り囲み、歯の受ける衝撃などすべてを引き受けていた。しかし歯を失うと、歯槽骨は吸収し、顎骨のみになり、歯槽骨があって、働いていて、形態、強さ、硬さ、性状など変化して提供している。
【課題を解決するための手段】
【００１４】  本発明に係るすきまつき入れ歯において、上顎用人工歯ごとに、下顎用人工歯ごとに、それぞれ個別的に分割可能な個別分離構造を有していることが好ましい。このことで、患者の必要とする人工歯が例えば一対だけであっても、人工歯部間の適正咬合状態の実現を有している。【００１５】  カサカサすることがなくなり、口が閉まるようになり、喋っても聞きにくいといわれなくなった。口を大きく開けると、舌の総入れ歯が浮き上がって歌えないことがなくなる。【００１６】  総義歯の維持不良がなくなり、下顎、舌、口唇の異常運動、顎形態の異常がなくなり、義歯の安定効果を発揮する。【００１７】  入れ歯の構造上、床は必要だが可及的に小さくは出来るし、小さくすると安定がわるくなる要素が増えるが、すきまつき入れ歯をいれ、バランスがうまく捕れるようになり、その人の感覚に合い、なおかつ安定するようにする。【００１８】  入れ歯という道具を口腔内に入れた状態では、生活することの快適さは改善され、すきまつき入れ歯では自分自身の歯の感覚に近くなる。自前の歯は、骨のなかに埋まっているが、入れ歯では、粘膜の上に乗っているだけですが、安定させるために歯茎を覆う、赤いレジンの部分を持っている。すきまつき入れ歯はそれを支える骨の形態に影響を受け厳しい条件になったり、よい条件になったり可動変化する。
【発明の効果】
【００１９】  元来口の中は総入れ歯を入れるようには作られていないし、入れ歯は人体用に作られた道具にしか過ぎなく、人工物が敏感な粘膜の上にあっても何の違和感もなく使用できるようになる。【００２０】  配偶者に若くなったと言われ、入れ歯を入れるのが楽しく、すぐに入れ歯が落ちる事がなくなる。【００２１】  話を始めると総入れ歯が緩むことはなく、よく噛めるようになり、よく話せるようになっている。【００２２】  舌を噛むことがなく、ほほを噛むこともなく、いつも粘膜が傷つくこともなくなった。総入れ歯の裏に食べ滓が入ったりすることがなくなる。お湯の熱さが分かるようになってきて、金属の総入れ歯を入れた時のイヤな味がしなくなる。【００２３】  入れ歯は噛むと、圧力で沈み、食べ物の大きさ、硬さ、性状により、又人工歯斜面の食べ物の受け方の方向により、あらゆる方向にずれる可能性が減少する。【００２４】  自分の歯の時は、無意識で食べるが、すきまつき入れ歯では、意識しながら食べることもなく、動く道具をうまく使いこなす能力が向上する。【００２５】  入れ歯を上手に使いこなす時間も考え、ある程度の時間をかけて、空洞孔兼通気口の長さ、大きさの調整をすると、口腔感覚は人に伝えるのが難しくなくなり、患者サイドの詳細な感覚を伝達出来る事が可能となる。【００２６】  歯茎が咬みしめ力を負担するが、部位により負担能力に差がある。大きい咬合力が加わり、ちょっとしたこすれでも、すきまつき入れ歯では自分の歯のようにアゴに受ける圧力は全体に受け入れるようになる。
【実施例】
【００２７】  図面を参照にして説明すると、図１は上の歯の入れ歯で本考案のすきまつき入れ歯であり、それぞれの入れ歯の形状に合わせて空洞孔兼通気溝を入れてあり、図２は上の歯の拡大図、図３は前の歯の側面拡大図、図４は下の歯の入れ歯、図５は総入れ歯の合体で完成する。【００２８】  全部の歯が無くなくなった口を無歯顎と言いい、歯が抜けたままにしておくと口元が老人様顔貌と言われるように年齢以上に老けて見えるが、総入れ歯を入れると口元が回復できる。すきまつき入れ歯を入れると物をよく噛めるようになりますし、上手に喋るようになる。【００２９】  食事をしてもらい難しい顎の場合には、痛いところがあれば、多くの回数の調整をするが、入れ歯に慣れるまでは時間がかかる。はじめから何でも食べられるというわけにはいかないが、入れ歯に口の筋肉が戸惑ってしまって、変に緊張したりすると口元もおかしくなることがなくなる。【００３０】  食後は入れ歯の内面や外側に食べかすが溜まり、その食べカスをそのままにしておくと、細菌によって入れ歯の内側の歯茎が炎症をおこしてしまうのが、唾液の流入が良くなり食物の食べ滓は洗い流される。毎食後入れ歯をはずして掃除が簡単になる。入れ歯本体は歯磨き粉をつけずに水をかけながら歯ブラシや入れ歯用ブラシを使って食べ滓を洗いながす時間が短縮される。
【図面の簡単な説明】
【００３１】
【図１】本考案のすきまつき上の入れ歯の斜視図である。
【図２】本考案上のすきまつき入れ歯の空洞孔兼通気溝８を分かりやすくした拡大図である。
【図３】本考案の前のすきまつき入れ歯の拡大図であり、それぞれの歯の名称と空洞孔兼通気溝８が複数あることの説明である。
【図４】本考案の下のすきまつき入れ歯の平面図であり、それぞれの歯の名称と空洞孔兼通気溝８が複数あることの説明である。
【図５】総入れ歯の合体図であり、それぞれの歯の名称と空洞孔兼通気溝８が複数あることの説明である。
【符号の説明】
【００３２】  １  中切歯
２  側切歯
３  犬歯
４  第１小臼歯
５  第２小臼歯
６  第１大臼歯
７  第２大臼歯
８  空洞孔兼通気溝
９  歯肉上皮
【図１】
2005144095.tif 000003
【図２】
2005144095.tif 000004
【図３】
2005144095.tif 000005
【図４】
2005144095.tif 000006
【図５】
2005144095.tif 000007